(57)【要約】【課題】上部ステムの着脱、および分解作業を、汎用工具でも安全、かつ容易に行うことができる二重弁栓装置を提供する。【解決手段】  液体製品が流通する複数の管路と、上記複数の管路の間に設けられた弁座部と、上記弁座部を開閉可能に閉止しうる上部弁体部及び下部弁体部と、上記上部弁体部及び下部弁体部を開閉駆動しうる駆動装置とを備え、上記上部弁体部は上部弁体を有する上部ステムにより構成されると共に上記下部弁体部は下部弁体を有する下部ステムにより構成され、複数の管路の流路切替制御を行う二重弁栓装置であって、上記上部ステムの下方端部の側面、及び上部弁体固定用中空ボルトの下方端部側面には、径方向において互いに対向する平面部が形成された構成とする。【選択図】  図３
0003139732.tif 000002
【実用新案登録請求の範囲】
【請求項１】
液体製品が流通する複数の管路と、上記複数の管路の間に設けられた弁座部と、上記弁座部を開閉可能に閉止しうる上部弁体部及び下部弁体部と、上記上部弁体部及び下部弁体部を開閉駆動しうる駆動装置とを備え、上記上部弁体部は上部弁体を有する上部ステムにより構成されると共に上記下部弁体部は下部弁体を有する下部ステムにより構成され、複数の管路の流路切替制御を行う二重弁栓装置であって、上記上部ステムは上記駆動装置に着脱可能に固定され、上記上部ステムの下方端部の側面には、径方向において互いに対向する平面部が形成されていることを特徴とする二重弁栓装置。
【請求項２】
上記上部ステムは円筒形に形成され、下方端部に設けられたフランジに上部弁体を形成するパッキンを圧着固定するための、上部弁体固定用中空ボルトを有し、上記上部弁体固定用中空ボルトは円筒形状に形成されると共に、上記上部弁体固定用中空ボルトの下方端部側面には、径方向において互いに対向する平面部が形成されていることを特徴とする請求項１記載の二重弁栓装置。
【請求項３】
上記上部ステムの下方端部の側面に、径方向において互いに対向する平面が複数対設けられていることを特徴とする請求項１又は２記載の二重弁栓装置。
【請求項４】
上記上部弁体固定用中空ボルトの下方端部側面に、径方向において互いに対向する平面が複数対設けられていることを特徴とする請求項１〜３いずれ１項記載の二重弁栓装置。
【請求項５】
上記上部ステムの下方端部が径方向断面多角形状に形成されていることを特徴とする請求項１〜４いずれか１項記載の二重弁栓装置。
【請求項６】
上記上部弁体固定用中空ボルトの下方端部が、径方向断面多角形状に形成されていることを特徴とする請求項１〜５いずれか１項記載の二重弁栓装置。
【考案の詳細な説明】
【技術分野】
【０００１】
本考案は液体製品が流通する複数の管路の流路切替制御を行う二重弁栓装置に関する。
【背景技術】
【０００２】
従来の二重弁栓装置７０は、図７に示すとおり、液体製品が流通する上方管路７１と、下方管路７２と、上記上方管路７１と下方管路７２の管路の間に設けられた上方弁座部７３と下方弁座部７４と、上記上下弁座部７３，７４を夫々開閉可能に閉止しうる上部弁体部７５、及び下部弁体部７６と、円柱状に形成され、上記上部弁体部７５、及び下部弁体部７６を開閉駆動しうる駆動装置７７と、中空円筒状に形成され、上記駆動装置７７下端部に接合された接続軸部材７８と、上記接続軸部材７８よりも大径の円筒状に形成され、上下端部にフランジ７９、８０を有し、上端部のフランジ７９によって上記駆動装置７７の下端周縁部に固定されると共に、下端部のフランジ８０によって管路開口部８１に固定された管路接続部材８２とを備えている。
上記上部弁体部７５は上部弁体８３を有する上部ステム８４により構成されると共に、上記下部弁体部７６は下部弁体８５を有する下部ステム８６により構成されている。
上記上部ステム８４は、円筒形の内筒８７と外筒８８が重なり合って形成され、上記内筒８７の内周と、上記接続軸部材７８の外周が互いに螺合されることで固定されている。
また、上記内筒８７の下方部内方には、リング部材８９を介して上部弁体８３を形成するパッキン８３ａを固定する、上部弁体固定用中空ボルト９０が螺着されている。
また下部ステム８６は、上部ステム挿通部９１が上記内筒８７内に挿通され、上記上部ステム挿通部９１の先端が、上記駆動装置７７の駆動軸部９２に螺合して固定されている。
【０００３】
メンテナンス及び清掃等の目的で上記二重弁栓装置を分解する場合は、図８に示すとおり上方管路７１を固定しているクランプ９３、及び下方管路７２を固定しているクランプ９４を緩めて、上方管路７１と下方管路７２を取り外す。
次に、駆動装置７７の上端から上方に突出した駆動軸部９２の上端部９２ａを機械若しくは人力によって固定しつつ、下部ステム８６の下部ステム本体８６ａを把持して回転させることで、上記駆動軸部９２より取り外す。
【０００４】
上部ステム８４を駆動装置７７から取り外す場合は、図９に示すとおり、駆動装置７７を駆動を機械若しくは人力によって固定しつつ、上部ステム取り外し用工具９５の突起９６を、上記上部ステム８４の下方先端部に、周方向に沿って所定間隔に設けられた溝９７ａ、９７ｂ、９７ｃ（図示せず）、９７ｄ（図示せず）の何れかと係合させる。
更に、上記上部ステム取り外し用専用工具９５によって上部ステム８４を回転させることで、上記内筒８７の内周と、上記接続軸部材７８の外周の螺合が外れ、上部ステム８４が駆動装置７７から取り外される。
【０００５】
次に、図１０に示すとおり、上部ステム８４の下端部の上記上部弁体固定用中空ボルト９０に径方向に沿って設けられた溝９８ａ，９８ｂと、予め固定器具９９に固定した、上部弁体固定用中空ボルト固定用工具１００の突起１０１ａ、１０１ｂとを係合させる。
次に、上方からリング状の上部ステム分解用工具１０２に、上部ステム８４を挿通させ、上記上部ステム分解用工具１０２のリング状内周に設けられた突起部１０３ａ，１０３ｂ、１０３ｃ、１０３ｄを、上記上部ステム８４の下端部の溝９７ａ、９７ｂ、９７ｂ（図示せず）、９７ｄ（図示せず）に夫々係合させる。
上記の状態で、上記上部ステム分解用工具１０２を回転させると、上記上部弁体固定用中空ボルト９０が外れ、上部弁体８３を形成するパッキン８３ａを取り外すことができる。
【０００６】
上記のように、駆動装置７７から上部ステム８４を取り外す場合、及び上部ステム８４からパッキン８３ａを取り外す場合には、上部ステム取り外し用専用工具９５、上部弁体固定用中空ボルト固定用工具１００、及び上記上部ステム分解用工具１０２といった専用の工具が必要となる。
従って、分解作業においては、上記各工具の使用方法を熟知しておく必要がある。
また、これら工具の取り扱いは非常に猥雑であると共に、工具形状が特殊であるため、工具の製造コストが高く、ひいてはメンテナンスコストが増大する要因となっていた。
【考案の開示】
【考案が解決しようとする課題】
【０００７】
本考案の技術的課題は、上部ステムの着脱、及び分解作業を、汎用工具でも安全、かつ容易に行うことができる二重弁栓装置を提供することにある。
【課題を解決するための手段】
【０００８】
上記課題を解決するために、請求項１記載の考案に係る二重弁栓装置は、液体製品が流通する複数の管路と、上記複数の管路の間に設けられた弁座部と、上記弁座部を開閉可能に閉止しうる上部弁体部及び下部弁体部と、上記上部弁体部及び下部弁体部を開閉駆動しうる駆動装置とを備え、上記上部弁体部は上部弁体を有する上部ステムにより構成されると共に上記下部弁体部は下部弁体を有する下部ステムにより構成され、複数の管路の流路切替制御を行う二重弁栓装置であって、上記上部ステムは上記駆動装置に着脱可能に固定され、上記上部ステムの下方端部の側面には、径方向において互いに対向する平面部が形成されていることを特徴とする。
【０００９】
従って、専用工具を用いなくても、上部ステム下方端部の側面平面部をレンチ等の汎用工具で挟持することができるため、汎用工具を用いて上部ステムを回転させて取り外すことが可能となる。
【００１０】
また、請求項２記載の考案に係る二重弁栓装置は、上記上部ステムは円筒形に形成され、下方端部に設けられたフランジに上部弁体を形成するパッキンを圧着固定するための、上部弁体固定用中空ボルトを有し、上記上部弁体固定用中空ボルトは円筒形状に形成されると共に、上記上部弁体固定用中空ボルトの下方端部側面には、径方向において互いに対向する平面部が形成されていることを特徴とする。
【００１１】
従って、上記上部弁体固定用中空ボルトの下方端部側面平面部をレンチ等の汎用工具で挟持することができるため、汎用工具を用いて上部ステムを回転させて取り外すことが可能となる。
【００１２】
また、請求項３記載の考案に係る二重弁栓装置は、上記上部ステムの下方端部の側面に、径方向において互いに対向する平面が複数対設けられていることを特徴とする。
また、請求項４記載の考案に係る二重弁栓装置は、上記上部弁体固定用中空ボルトの下方端部側面に、径方向において互いに対向する平面が複数対設けられていることを特徴とする。
【００１３】
従って、汎用工具で挟持し易い対向平面を選択することができるため、取り外し時の回転操作がより行い易くなる。
【００１４】
また、請求項５記載の考案に係る二重弁栓装置は、上記上部ステムの下方端部が径方向断面多角形状に形成されていることを特徴とする。
また、請求項６記載の考案に係る二重弁栓装置は、上記上部弁体固定用中空ボルトの下方端部が、径方向断面多角形状に形成されていることを特徴とする。
【００１５】
従って、より多種類の汎用工具を使用することが可能となる。
【考案の効果】
【００１６】
請求項１の考案にあっては、液体製品が流通する複数の管路と、上記複数の管路の間に設けられた弁座部と、上記弁座部を開閉可能に閉止しうる上部弁体部及び下部弁体部と、上記上部弁体部及び下部弁体部を開閉駆動しうる駆動装置とを備え、上記上部弁体部は上部弁体を有する上部ステムにより構成されると共に上記下部弁体部は下部弁体を有する下部ステムにより構成され、複数の管路の流路切替制御を行う二重弁栓装置であって、上記上部ステムは上記駆動装置に着脱可能に固定され、上記上部ステムの下方端部の側面には、径方向において互いに対向する平面部が形成されていることから、専用工具を用いることなく、汎用工具を用いて、上部ステムを駆動装置から取り外すことが可能となるため、取り外し作業が容易となり、安全、且つ短時間で分解作業が可能となる。
また、請求項２の考案にあっては、上記上部ステムは円筒形に形成され、下方端部に設けられたフランジに上部弁体を形成するパッキンを圧着固定するための、上部弁体固定用中空ボルトを有し上記上部弁体固定用中空ボルトは円筒形状に形成されると共に、上記上部弁体固定用中空ボルトの下方端部側面には、径方向において互いに対向する平面部が形成されていることから、専用工具を用いることなく、汎用工具を用いて、上部弁体固定用中空ボルトを上部ステムから取り外すことが可能となるため、取り外し作業が容易となり、安全、且つ短時間で分解作業が可能となる。
また、専用工具を製造する必要もなくなることから、工具製作に要する費用を削減することができる。
従って、メンテナンス費用を低減させることが可能となる。
【００１７】
また、請求項３の考案にあっては、上記上部ステムの下方端部の側面に、径方向において対向する平面が複数対設けられており、また、請求項４の考案にあっては、上記上部弁体固定用中空ボルトの下方端部側面に、径方向において互いに対向する平面が複数対設けられていることから、請求項１，２の考案の効果に加え、汎用工具で挟持し易い対向平面を選択することができることで、より分解操作が行い易くなり、安全性と、作業性が向上する。
【００１８】
また、請求項５の考案にあっては、上記上部ステムの下方端部が径方向断面多角形状に形成されており、また、請求項６の考案にあっては、上記上部弁体固定用中空ボルトの下方端部が、径方向断面多角形状に形成されていることから、請求項１〜４の効果に加え、より多彩な汎用工具を選択することが可能となり、工具製作若しくは準備に要する費用を削減することができる。
【考案を実施するための最良の形態】
【００１９】
以下、本考案の実施の形態を図面を用いて説明する。
図１に示すとおり、本考案に係る二重弁栓装置１０は、液体製品が流通する上方管路１１、及び下方管路１２と、上記上方管路１１と下方管路１２管路の間に設けられた上方弁座部１３ａと、下方弁座部１３ｂと、上記弁座部を開閉可能に閉止しうる上部弁体部１４及び下部弁体部１５と、上記上部弁体部１４、及び下部弁体部１５を開閉駆動しうる駆動装置１６とを備えている。
上記上部弁体部１４は上部弁体１７を有する上部ステム１８により構成されると共に上記下部弁体部１５は下部弁体１９を有する下部ステム２０により構成されている。
上記上部ステム１８は円筒形に形成され、下方端部に設けられたフランジ２１に上部弁体１７を形成するパッキン２２を圧着固定するための、円筒形状に形成された上部弁体固定用中空ボルト２３を有している。
上記上部ステム１８は上記駆動装置１６に着脱可能に固定されており、上記上部ステム１８の下方端部の側面には、径方向において互いに対向する平面２４ａ，２４ｂ、２５ａ（図１には図示せず）、２５ｂ（図１には図示せず）が設けられ、上記上部弁体固定用中空ボルト２３の下方端部側面には、径方向において互いに対向する二対の平面２６ａ，２６ｂ，２７ａ（図１には図示せず）、２７ｂ（図１には図示せず）が設けられている。
上記上部ステム１８の下方端部及び、上記上部弁体固定用中空ボルト２３の下方端部は、径方向断面略方形に形成されている。
【実施例】
【００２０】
上記構成による実施例の構成について説明する。
図１に示すとおり、本実施例における二重弁栓装置１０は、駆動装置１６に連接した管路接続部２８の下端フランジ２９と、上方管路１１の開口部３０のフランジ３１とがクランプ３２によって圧着固定される共に、下方管路１２の開口部３３の下方に配設され、下部ステム２０が挿入された円筒状のカバー部材３４の上端フランジ３５と上記下方管路１２の開口部３３のフランジ３６とがクランプ３７によって圧着固定されることで組み立てられている。
上記上部ステム１８の上端部は、上記駆動装置１６に接続され、中空に形成された接続軸部材３８の下端部に螺合して固定されると共に、パッキン２２を介して、上部弁体固定用中空ボルト２３の外面と上記上部ステム１８の内面が互いに螺合して固定されることで、上部弁体１７が形成されている。
また、上記下部ステム２０は、上記上部弁体固定用中空ボルト２３及び上部ステム１８内を貫通して上記接続軸部材３８内に配置される上部ステム挿通部３９と、上記上部ステム挿通部３９の下端部に形成され、下部弁体１９を形成するフランジ４０と、上記フランジ４０の下方において幅方向に膨出して延設された下部ステム本体４１とを有している。
上記上部ステム挿通部３９の先端は、上記駆動装置１６の駆動機構を構成する駆動軸部４２に螺合して固定されている。
【００２１】
部品交換又は清掃等のメンテナンスのため、上記二重弁栓装置１０を分解する場合は、以下の手順により行う。
図２に示すとおり、クランプ３２を緩め、駆動装置１６を把持して上方に引き抜くことで、駆動装置１６、上部弁体部１４及び下部弁体部１５から、上方管路１１、及び下方管路１２を取り外すことができる。
次に、駆動装置１６の上端から上方に突出した駆動軸部４２の上端部４２ａを人手、若しくは器具等によって固定し、下部ステム本体４１を把持して回転させることで、駆動軸部４２と、上記上部ステム挿通部３９の螺合が解除され、下部ステム２０を駆動装置１６から引き抜いて取り外すことで、図３に示す通り上部ステム１８、上部弁体１７、及び上部弁体固定用中空ボルト２３が露出した状態となる。
【００２２】
上記の状態において、駆動装置１６を人手若しくは器具により固定し、図４に示すとおり、上記上部ステム１８の下方端部の側面に設けられた対向する二対の平面２４ａ，２４ｂ、２５ａ、２５ｂの内、任意の対向面にレンチ等の汎用工具４３を差込み、上記上部ステム１８を周方向に沿って回転させることで,上記上部ステム１８と、上記接続部材３８の下端部との螺合が解除され、上部ステム１８を取り外すことができる。
上部ステム１８の分解作業は、図５に示すとおり、挟持器具４４によって、上部ステム１８の二対の平面２４ａ，２４ｂ、２５ａ、２５ｂのいずれか一対を挟持固定した状態で行う。
図６に示すとおり、上記上部弁体固定用中空ボルト２３の下方端部側面の対向する二対の平面２６ａ，２６ｂ，２７ａ、２７ｂのいずれか一対に、レンチ等の汎用工具４３を差込み、周方向に沿って上記上部弁体固定用中空ボルト２３を回転させることで、上記上部ステム１８との螺合が解除され、上記上部弁体固定用中空ボルト２３及び上部弁体１７を形成するパッキン２２を取り外すことができる。
【００２３】
上記の通り、駆動装置１６から上部ステム１８を取り外す場合、及び上部ステム１８を分解しパッキン２２を取り外す場合のいずれにおいても、専用工具を用いることなく、レンチ等の汎用工具４３を用いて行うことができるため、取り外し、分解作業が容易となり、メンテナンス時間が削減され、メンテナンスコストを低減することが可能となる。
また、専用工具を別途製造する必要も無いため、専用工具の製造コストを削減可能であり、更にメンテナンスコストを低減させることが可能となる。
【００２４】
なお、本実施例においては、上部ステム１８の下方端部の側面、及び上部弁体固定用中空ボルト２３の下方端部の側面に、夫々二対の対向平面を有し、かつ径方向断面略方形に形成されている場合を例に説明しているが、レンチ等の汎用工具が使用可能であれば対向平面の数は二対に限定されるものではない。
また、上部ステム１８の下方端部、及び上部弁体固定用中空ボルト２３の下方端部の側面形状が共に一致している必要もない。
【産業上の利用可能性】
【００２５】
本考案は液体製品が流通する複数の管路の流路切替制御を行う二重弁栓装置に適用可能である。
【図面の簡単な説明】
【００２６】
【図１】本考案に係る二重弁栓装置の一実施の形態を示し、実施例の形態における長さ方向側方断面図である。
【図２】本考案に係る二重弁栓装置の一実施の形態を示し、実施例の形態において、上方管路及び下方管路を取り外した状態の長さ方向側方断面図である。
【図３】本考案に係る二重弁栓装置の一実施の形態を示し、実施例の形態において、下部ステムを取り外した状態の斜視図、及び矢印Ａ方向からの平面図である。
【図４】図３の状態において、上部ステムの下方端部側面の対向平面にレンチ等の汎用工具を差し込んだ状態の斜視図である。
【図５】本考案に二係る二重弁栓装置の一実施の形態を示し、実施例の形態において、取り外した上部ステムを万力等の器具によって挟持した状態の斜視図である。
【図６】図５の状態において、上部弁体固定用中空ボルトの下方端部側面の対向平面にレンチ等の汎用工具を差し込んだ状態の斜視図である。
【図７】従来の二重弁栓装置の長さ方向側方断面図である。
【図８】従来の二重弁栓装置において、上方管路及び下方管路を取り外した状態の長さ方向側方断面図である。
【図９】従来の二重弁栓装置において、下部ステムを取り外した状態の斜視図、及び上部ステム取り外し用の専用工具の斜視図である。
【図１０】従来の二重弁栓装置において、取り外された上部ステムと、上部ステム分解用の専用工具の斜視図である。
【符号の説明】
【００２７】
１０  二重弁栓装置
１１  上方管路
１２  下方管路
１３ａ上方弁座部
１３ｂ下方弁座部
１４  上部弁体部
１５  下部弁体部
１６  駆動装置
１７  上部弁体
１８  上部ステム
１９  下部弁体
２０  下部ステム
２１  フランジ
２２  パッキン
２３  上部弁体固定用中空ボルト
２４ａ平面部
２４ｂ平面部
２５ａ平面部
２５ｂ平面部
２６ａ平面部
２６ｂ平面部
２７ａ平面部
２７ｂ平面部
２８  管路接続部
２９  フランジ
３０  開口部
３１  フランジ
３２  クランプ
３３  開口部
３４  カバー部材
３５  フランジ
３６  フランジ
３７  クランプ
３８  接続軸部材
３９  上部ステム挿通部
４０  フランジ
４１  下部ステム本体
４２  駆動軸部
４２ａ駆動軸部の上端部
４３  レンチ等の汎用工具
４４  挟持器具
７０  従来の二重弁栓装置
７１  上方管路
７２  下方管路
７３  上方弁座部
７４  下方弁座部
７５  上部弁体部
７６  下部弁体部
７７  駆動装置
７８  接続軸部材
７９  フランジ
８０  フランジ
８１  管路開口部
８２  管路接続部材
８３  上部弁体
８３ａパッキン
８４  上部ステム
８５  下部弁体
８６  下部ステム
８６ａ下部ステム本体
８７  上部ステム内筒
８８  上部ステム外筒
８９  リング部材
９０  上部弁体固定用中空ボルト
９１  上部ステム挿通部
９２  駆動軸部
９２ａ駆動軸部の上端部
９３  クランプ
９４  クランプ
９５  上部ステム取り外し用工具
９６  突起
９７ａ溝
９７ｂ溝
９７ｃ溝（図示せず）
９７ｄ溝（図示せず）
９８ａ溝
９８ｂ溝
９９  固定器具
１００  上部弁体固定用中空ボルト固定用工具
１０１ａ突起
１０１ｂ突起
１０２  上部ステム分解用工具
１０３ａ突起
１０３ｂ突起
１０３ｃ突起
１０３ｄ突起
【図１】
0003139732.tif 000003
【図２】
0003139732.tif 000004
【図３】
0003139732.tif 000005
【図４】
0003139732.tif 000006
【図５】
0003139732.tif 000007
【図６】
0003139732.tif 000008
【図７】
0003139732.tif 000009
【図８】
0003139732.tif 000010
【図９】
0003139732.tif 000011
【図１０】
0003139732.tif 000012